(57)【要約】      （修正有）【課題】携帯端末を収納すると共に清掃も可能ならしめる携帯端末カバーを提供する。【解決手段】携帯端末カバー１００は、所定形状の２枚の布材を重ねると共にその上部に開口３を形成し且つその他の周囲を縫い合わせた本体５を有し、布材はマイクロファイバーから構成されている。ユーザは、内部に携帯端末を収納して本体５の上から携帯端末を擦ることでマイクロファイバーにより携帯端末の汚れを拭き取ることができる。このようにすれば、携帯端末を収納した状態でそのまま汚れを拭き取れるので便利である。【選択図】図１
0003192687.tif 000002
【実用新案登録請求の範囲】
【請求項１】
所定形状の２枚の布材を重ねると共にその上部を開口させ且つその他の周囲を縫い合わせた本体を有し、前記布材はマイクロファイバーから構成されていることを特徴とする携帯端末カバー。
【請求項２】
前記本体は、リバーシブル構造であることを特徴とする請求項１に記載の携帯端末カバー。
【請求項３】
前記本体の一部に滑り止め面が設けられていることを特徴とする請求項１又は２に記載の携帯端末カバー。
【考案の詳細な説明】
【技術分野】
【０００１】
本考案は、携帯端末を収納すると共に清掃も可能ならしめる携帯端末カバーに関するものである。
【背景技術】
【０００２】
従来から特許文献１に記載されているような携帯用ワイパーが知られている。この携帯用ワイパーは、超極細繊維布をカバーにより挟んで折り畳み可能にした構造である。超極細繊維布の一辺はカバーの一端に固定されており、当該カバーの内側で折り返されて収納される。
【０００３】
この携帯用ワイパーは、小型の液晶画面を有する電子機器、例えば、デジタルカメラ、携帯電話、スマートフォン、ｉＰｏｄ（登録商標）のような携帯端末の表示画面に付着した手や指の脂分を拭き取って除去するものである。
【先行技術文献】
【特許文献】
【０００４】
【特許文献１】実用新案登録第３１７５４８４号公報
【考案の概要】
【考案が解決しようとする課題】
【０００５】
しかしながら、上記従来の考案では、携帯端末の表示画面の脂分を拭き取る際にカバーを開いて超極細繊維布を開いて使用する必要があるため、面倒である。また、携帯端末とは別に携帯することになるため、すぐに表示画面を拭き取ることができず、結局使わなくなってしまう。この考案は、係る問題点を解決するためになされたものである。
【課題を解決するための手段】
【０００６】
本考案に係る携帯端末カバーは、所定形状の２枚の布材を重ねると共にその上部を開口させ且つその他の周囲を縫い合わせた本体を有し、前記布材はマイクロファイバーから構成されていることを特徴とする。ユーザは、内部に携帯端末を収納して本体の上から携帯端末を擦ることでマイクロファイバーにより携帯端末の汚れを拭き取ることができる。このようにすれば、携帯端末を収納した状態でそのまま汚れを拭き取れるので便利である。
【０００７】
前記本体はリバーシブル構造とすることで異なるデザインを楽しめると共に汚れを拭いた面を表側に出すことで洗濯しやすくできる。また、前記本体の一部に滑り止め面を設けることで内部で携帯端末を保持しやすくなるので、拭きやすくなる。
【図面の簡単な説明】
【０００８】
【図１】本考案の実施の形態に係る携帯端末カバーを示す斜視図である。
【図２】図１に示した携帯端末カバーの上斜視図である。
【図３】本考案の携帯端末カバーの使用方法を示す説明図である。
【図４】本考案の携帯端末カバーの変形状態を示す説明図である。
【図５】本考案の携帯端末カバーの変形例を示す説明図である。
【考案を実施するための形態】
【０００９】
図１は、本考案の実施の形態に係る携帯端末カバーを示す斜視図である。図２は、図１に示した携帯端末カバーの上斜視図である。この携帯端末カバー１００は、所定形状の２枚の布材１，２を重ねると共にその上部に開口３を形成し且つその他の周囲４を縫い合わせた本体５と、本体５の開口３の２枚の布材の中央付近同士に渡したベルトとから構成される。
【００１０】
前記布材１，２はマイクロファイバーからなり、ポリウレタン７０％〜８０％、ナイロン３０％〜２０％の混合構成である。マイクロファイバーは、その断面径が８μｍ以下の超極細繊維である。また、繊維断面が鋭角や多角形の形状であるため、埃や脂分を拭き取る機能が高い。また、合成繊維からなるため速乾性が高い。
【００１１】
本体５の形状は、同図の例ではＴシャツ又はポロシャツの形状であり、前記開口３は、首部および肩部に相当する上部辺に形成される。袖部及び胴部の周囲は縫い合わされて、本体５全体が袋状となっている。本体５の表面５ａ及び裏面５ｂには、所定の印刷が施されている。この印刷は昇華染色により行うのが好ましい。昇華染色によれば、マイクロファイバーを構成するポリエステルに対して洗濯しても色落ちしないように印刷ができる。
【００１２】
ベルト６は、ナイロン製であり、一部に樹脂製のワンタッチバックル７が設けられる。これにより、リュックサックやズボンのベルト通し等に装着が可能となる。なお、ワンタッチバックル７に代えてスナップボタン等を用いることもできる（図示省略）。
【００１３】
本体５の大きさは、一般的な携帯端末Ｓが収納可能な寸法とし、例えば縦１５ｃｍ、横１０ｃｍ程度である。また、最近普及が進んでいる所謂タブレット型端末を収納可能とする場合、例えば縦２５ｃｍ、横１８ｃｍ程度としても良い。
【００１４】
図３は、本考案の携帯端末カバーの使用方法を示す説明図である。携帯端末Ｓを本体５の開口３から内部に収納する。この状態でユーザが本体５を片手Ｈ１で持ってもう片方の手（指）Ｈ２で本体５の上から携帯端末Ｓの表示画面Ｓ１を擦る。これにより、本体５の裏面５ｂが携帯端末Ｓの表示画面Ｓ１に付着した埃や脂分を取り去る。また、携帯端末Ｓを本体５の中に入れて様々な部位を擦ることで携帯端末Ｓの全体を拭くことが可能になる。そして、携帯端末Ｓを内部に収納した状態でそのまま携帯できるうえ、気が向いたときに直ぐに携帯端末Ｓを拭くことができる。
【００１５】
図４は、本考案の携帯端末カバーの変形状態を示す説明図である。この携帯端末カバー１００は所謂リバーシブル構造であって、開口３から端縁３ａを外側に折り返して、本体５の表裏をひっくり返す乃至裏返すことにより、別のデザインが印刷された裏面５ｂを表側に表すことが可能である。また、今まで携帯端末Ｓを拭いていた裏面５ｂを表側に出すことで洗濯の際に汚れが落ちやすくなる。
【００１６】
また、図５に示すように、本体５の胴部の両側端縁近傍に面状又は多数の点状のゴムからなる滑り止め面２０を形成することで、携帯端末Ｓを本体５の内部に入れて掴んだ際に携帯端末Ｓが滑り難くなるようにしても良い。滑り止め面２０は、表裏の前記胴部の両側端縁近傍に設ける。このようにすれば、携帯端末Ｓを本体５の内部でしっかり掴んで保持できるので、表示画面Ｓ１等を拭きやすくなる。
【００１７】
なお、前記開口３をファスナーにより開閉可能な構造としても良い（図示省略）。更に、前記ベルト６にはフック等を設けることもできる（図示省略）。
【符号の説明】
【００１８】
１００  携帯端末カバー
１，２  布材
３  開口  
５  本体
６  ベルト
７  ワンタッチバックル
Ｓ  携帯端末
【図１】
0003192687.tif 000003
【図２】
0003192687.tif 000004
【図３】
0003192687.tif 000005
【図４】
0003192687.tif 000006
【図５】
0003192687.tif 000007